(57)【要約】【課題】対象物に対して近距離無線通信の機能を備えている端末装置と同じように動かすことにより、対象物から近距離無線通信で得られる情報を取得できるようにする。【解決手段】電子レジスター２０は、位置情報、商品の販売金額、販売した商品名、送信日時をサーバ装置３０へ送信する。端末装置１０をインターフェースモジュール２０８Ａへかざすと、端末装置１０は、位置情報と送信日時をサーバ装置３０へ送信する。サーバ装置３０は、電子レジスター２０から送信された日時が端末装置１０から送信された日時から所定範囲内にあり、電子レジスター２０から送信された位置情報の位置が端末装置１０から送信された位置情報の位置から所定範囲内にある場合、販売金額や商品名を端末装置１０へ送信する。端末装置１０は、販売金額に対応する電子マネーをサーバ装置３０へ送信する。【選択図】図１
2015146159.tif 000002
【特許請求の範囲】
【請求項１】
対象物に対する自装置の予め定められた動きを検知する検知手段と、
前記検知手段が前記動きを検知した場合、少なくとも自装置の位置情報を送信する第１送信手段と、
前記第１送信手段が送信した情報に応じて送信される情報を受信する第１受信手段と、
を有する端末装置と、
前記第１送信手段から送信された情報を受信する第２受信手段と、
前記対象物の位置情報と、前記端末装置へ提供する第１情報とを対応付けて記憶する記憶手段と、
前記記憶手段において、前記第２受信手段が受信した位置情報が示す位置から予め定められた範囲内の位置の位置情報に対応付けられている前記第１情報を、前記記憶手段から取得する取得手段と、
前記取得手段が取得した第１情報を、前記第２受信手段が受信した情報の送信元の端末装置へ送信する第２送信手段と、
を有するサーバ装置と、
を備える通信システム。
【請求項２】
前記端末装置のユーザの電子マネーを記憶する第２記憶手段を有し、
前記第１送信手段は、送信時刻を示す時刻情報をさらに送信し、
前記記憶手段は、金銭登録機から送信された位置情報、販売金額、当該位置情報の送信時刻とを対応付けて記憶し、
前記記憶手段において、前記第２受信手段が受信した時刻情報の時刻から予め定められた範囲内の時刻の時刻情報に対応付けられ、且つ、前記第２受信手段が受信した位置情報の位置から予め定められた範囲内の位置の位置情報に対応付けられている販売金額分の電子マネーを、前記第２記憶手段に記憶されている前記端末装置のユーザの電子マネーから取得する電子マネー取得手段と、
を有する請求項１に記載の通信システム。
【請求項３】
前記第１送信手段は、送信時刻を示す時刻情報と、他装置へ提供する第２情報をさらに送信し、
前記記憶手段は、前記第１送信手段から送信された位置情報、時刻情報及び前記第２情報とを対応付けて記憶し、
前記取得手段は、前記記憶手段において、前記第２受信手段が受信した時刻情報の時刻から予め定められた範囲内の時刻の時刻情報に対応付けられ、且つ、前記第２受信手段が受信した位置情報の位置から予め定められた範囲内の位置の位置情報に対応付けられている第２情報を、前記記憶手段から取得する
請求項１に記載の通信システム。
【請求項４】
前記取得手段は、前記第２受信手段が受信した位置情報に応じて、前記第２情報の中から当該位置情報に対応する情報を取得する
請求項３に記載の通信システム。
【請求項５】
前記対象物は、ポスターであり、前記第１情報は、前記ポスターの内容に関係する情報である
請求項１に記載の通信システム。
【請求項６】
端末装置が、対象物に対する自装置の予め定められた動きを検知する検知ステップと、
前記端末装置が、前記検知ステップで前記動きを検知した場合、少なくとも自装置の位置情報を送信する第１送信ステップと、
前記端末装置が、前記第１送信ステップで送信した情報に応じて送信される情報を受信する第１受信ステップと、
サーバ装置が、前記第１送信ステップで送信された情報を受信する第２受信ステップと、
前記サーバ装置が、前記対象物の位置情報と、前記端末装置へ提供する第１情報とを対応付けて記憶した記憶手段から、前記第２受信ステップで受信した位置情報が示す位置から予め定められた範囲内の位置の位置情報に対応付けられている前記第１情報を取得する取得ステップと、
前記サーバ装置が、前記取得ステップで取得した第１情報を、前記第２受信ステップで受信した情報の送信元の端末装置へ送信する第２送信ステップと、
を備える通信方法。
【請求項７】
対象物に対する自装置の予め定められた動きを検知した端末装置から送信された情報を受信する受信手段と、
前記対象物の位置情報と、前記端末装置へ提供する第１情報とを対応付けて記憶する記憶手段と、
前記記憶手段において、前記受信手段が受信した位置情報が示す位置から予め定められた範囲内の位置の位置情報に対応付けられている前記第１情報を、前記記憶手段から取得する取得手段と、
前記取得手段が取得した第１情報を、前記受信手段が受信した情報の送信元の端末装置へ送信する送信手段と、
を有するサーバ装置。
【請求項８】
コンピュータを、
対象物に対する自装置の予め定められた動きを検知した端末装置から送信された情報を受信する受信手段と、
前記対象物の位置情報と、前記端末装置へ提供する第１情報とを対応付けて記憶した記憶手段から、前記受信手段が受信した位置情報が示す位置から予め定められた範囲内の位置の位置情報に対応付けられている前記第１情報を取得する取得手段と、
前記取得手段が取得した第１情報を、前記受信手段が受信した情報の送信元の端末装置へ送信する送信手段
として機能させるためのプログラム。
【発明の詳細な説明】
【技術分野】
【０００１】
本発明は、装置間の通信に関する。
【背景技術】
【０００２】
携帯電話機においては、非接触型のＩＣカードの技術を用いて電子決済の機能を有するものがある。この携帯電話機を、電子レジスターに近づけると、携帯電話機と電子レジスターとが通信を行い、電子決済が行われる。しかしながら、携帯電話機の中には、非接触型のＩＣカードの機能を備えていないものがあり、この種の携帯電話機では、電子レジスターにかざして決済を行うことができない。
【０００３】
そこで、携帯電話機が非接触型のＩＣカードの機能を備えていなくとも電子決済を行えるようにする発明として、例えば、特許文献１に開示された発明がある。特許文献１に開示された小型端末は、非接触型ＩＣの電子マネー機能を備えおり、近距離無線通信で携帯電話機と無線通信を行う。携帯電話機は、電子マネーサーバに接続し、電子マネーを近距離無線通信で小型端末へチャージする。小型端末を店舗の電子レジスターへ近づけると、電子マネーによる決済が行われる。
【先行技術文献】
【特許文献】
【０００４】
【特許文献１】特開２０１２−１２３７００号公報
【発明の概要】
【発明が解決しようとする課題】
【０００５】
特許文献１の発明によれば、携帯電話機が非接触型ＩＣの電子マネー機能を備えていなくとも、携帯電話機を利用して電子マネーによる決済を行うことができる。しかしながら、電子マネーによる決済を行う場合には、携帯電話機とは別に小型端末を携帯する必要があり、利用者にとって不便となっている。
【０００６】
本発明は、上述した背景の下になされたものであり、対象物に対して近距離無線通信の機能を備えている端末装置と同じように動かすことにより、対象物から近距離無線通信で得られる情報を取得できる技術を提供することを目的とする。
【課題を解決するための手段】
【０００７】
本発明は、対象物に対する自装置の予め定められた動きを検知する検知手段と、前記検知手段が前記動きを検知した場合、少なくとも自装置の位置情報を送信する第１送信手段と、前記第１送信手段が送信した情報に応じて送信される情報を受信する第１受信手段と、を有する端末装置と、前記第１送信手段から送信された情報を受信する第２受信手段と、前記対象物の位置情報と、前記端末装置へ提供する第１情報とを対応付けて記憶する記憶手段と、前記記憶手段において、前記第２受信手段が受信した位置情報が示す位置から予め定められた範囲内の位置の位置情報に対応付けられている前記第１情報を、前記記憶手段から取得する取得手段と、前記取得手段が取得した第１情報を、前記第２受信手段が受信した情報の送信元の端末装置へ送信する第２送信手段と、を有するサーバ装置と、を備える通信システムを提供する。
【０００８】
本発明においては、前記端末装置のユーザの電子マネーを記憶する第２記憶手段を有し、前記第１送信手段は、送信時刻を示す時刻情報をさらに送信し、前記記憶手段は、金銭登録機から送信された位置情報、販売金額、当該位置情報の送信時刻とを対応付けて記憶し、前記記憶手段において、前記第２受信手段が受信した時刻情報の時刻から予め定められた範囲内の時刻の時刻情報に対応付けられ、且つ、前記第２受信手段が受信した位置情報の位置から予め定められた範囲内の位置の位置情報に対応付けられている販売金額分の電子マネーを、前記第２記憶手段に記憶されている前記端末装置のユーザの電子マネーから取得する電子マネー取得手段と、を有する構成としてもよい。
【０００９】
また、本発明においては、前記第１送信手段は、送信時刻を示す時刻情報と、他装置へ提供する第２情報をさらに送信し、前記記憶手段は、前記第１送信手段から送信された位置情報、時刻情報及び前記第２情報とを対応付けて記憶し、前記取得手段は、前記記憶手段において、前記第２受信手段が受信した時刻情報の時刻から予め定められた範囲内の時刻の時刻情報に対応付けられ、且つ、前記第２受信手段が受信した位置情報の位置から予め定められた範囲内の位置の位置情報に対応付けられている第２情報を、前記記憶手段から取得する構成としてもよい。
【００１０】
また、本発明においては、前記取得手段は、前記第２受信手段が受信した位置情報に応じて、前記第２情報の中から当該位置情報に対応する情報を取得する構成としてもよい。
【００１１】
また、本発明においては、前記対象物は、ポスターであり、前記第１情報は、前記ポスターの内容に関係する情報である構成としてもよい。
【００１２】
また、本発明は、端末装置が、対象物に対する自装置の予め定められた動きを検知する検知ステップと、前記端末装置が、前記検知ステップで前記動きを検知した場合、少なくとも自装置の位置情報を送信する第１送信ステップと、前記端末装置が、前記第１送信ステップで送信した情報に応じて送信される情報を受信する第１受信ステップと、サーバ装置が、前記第１送信ステップで送信された情報を受信する第２受信ステップと、前記サーバ装置が、前記対象物の位置情報と、前記端末装置へ提供する第１情報とを対応付けて記憶した記憶手段から、前記第２受信ステップで受信した位置情報が示す位置から予め定められた範囲内の位置の位置情報に対応付けられている前記第１情報を取得する取得ステップと、前記サーバ装置が、前記取得ステップで取得した第１情報を、前記第２受信ステップで受信した情報の送信元の端末装置へ送信する第２送信ステップと、を備える通信方法を提供する。
【００１３】
また、本発明は、対象物に対する自装置の予め定められた動きを検知した端末装置から送信された情報を受信する受信手段と、前記対象物の位置情報と、前記端末装置へ提供する第１情報とを対応付けて記憶する記憶手段と、前記記憶手段において、前記受信手段が受信した位置情報が示す位置から予め定められた範囲内の位置の位置情報に対応付けられている前記第１情報を、前記記憶手段から取得する取得手段と、前記取得手段が取得した第１情報を、前記受信手段が受信した情報の送信元の端末装置へ送信する送信手段と、を有するサーバ装置を提供する。
【００１４】
また、本発明は、コンピュータを、対象物に対する自装置の予め定められた動きを検知した端末装置から送信された情報を受信する受信手段と、前記対象物の位置情報と、前記端末装置へ提供する第１情報とを対応付けて記憶した記憶手段から、前記受信手段が受信した位置情報が示す位置から予め定められた範囲内の位置の位置情報に対応付けられている前記第１情報を取得する取得手段と、前記取得手段が取得した第１情報を、前記受信手段が受信した情報の送信元の端末装置へ送信する送信手段として機能させるためのプログラムを提供する。
【発明の効果】
【００１５】
本発明によれば、対象物に対して近距離無線通信の機能を備えている端末装置と同じように動かすことにより、対象物から近距離無線通信で得られる情報を取得できる。
【図面の簡単な説明】
【００１６】
【図１】本発明の一実施形態の全体構成を示した図である。
【図２】端末装置１０のハードウェア構成を示した図。
【図３】端末装置１０の機能構成を示した図。
【図４】電子レジスター２０のハードウェア構成を示した図。
【図５】電子レジスター２０の機能構成を示した図。
【図６】サーバ装置３０のハードウェア構成を示した図。
【図７】第１テーブルＴＢ１の内容の一例を示した図。
【図８】サーバ装置３０の機能構成を示した図。
【図９】第１実施形態の動作を説明するためのシーケンス図。
【図１０】端末装置１０に表示される画面の一例を示した図。
【図１１】第２実施形態の全体構成を示した図。
【図１２】第２テーブルＴＢ２の内容の一例を示した図。
【図１３】第２実施形態に係る端末装置１０の機能構成を示した図。
【図１４】第２実施形態の動作を説明するためのシーケンス図。
【図１５】第３実施形態の全体構成を示した図。
【図１６】第３テーブルＴＢ３の内容の一例を示した図。
【図１７】第３実施形態の動作を説明するためのシーケンス図。
【図１８】端末装置１０をかざす動作を示した図。
【発明を実施するための形態】
【００１７】
［第１実施形態］
図１は、本発明の第１実施形態に係るシステムを構成する装置を示した図である。本実施形態に係る端末装置１０は、所謂スマートフォンである。端末装置１０は、本発明に係る通信装置の一例であり、移動体通信網２を介してデータ通信を行う機能を備えている。なお、端末装置１０は、スマートフォンに限定されるものではなく、移動体通信網２又はインターネットに接続された無線ＬＡＮ（Local Area Network）を介して通信を行うタブレット端末やフィーチャフォン、データ通信に特化したコンピュータ装置などであってもよい。なお、移動体通信網２は、図示せぬゲートウェイサーバを介して通信網１に接続されており、端末装置１０は、移動体通信網２及び通信網１を介してサーバ装置３０とデータ通信を行う。
【００１８】
電子レジスター２０は、種々の機能を備えた金銭登録機である。電子レジスター２０は、ＮＦＣ（Near Field Communication）の通信規格のうち、非接触ＩＣカードの規格に従った通信を行う機能を備えており、同じくＮＦＣの通信規格に従った通信を行うスマートフォンやＩＣカードと通信を行い、電子マネーでの決済を行う機能を備えている。また、電子レジスター２０は、有線の通信網１に接続されており、通信網１に接続されたサーバ装置３０とデータ通信を行い、電子マネーでの決済を行う機能を備えている。なお、電子レジスター２０は、無線ＬＡＮ（Local Area Network）のアクセスポイントに無線通信で接続され、無線ＬＡＮを介してサーバ装置３０とデータ通信を行なってもよい。
【００１９】
サーバ装置３０は、電子マネーのサービスを提供する電子マネー事業者が有するサーバ装置である。サーバ装置３０は、電子マネー事業者に対して電子マネーのサービスの利用契約を結んだ者に対し、電子マネーの提供や電子マネーによる決済のサービスを提供する。
【００２０】
（端末装置１０の構成）
図２は、端末装置１０のハードウェア構成の一例を示した図である。制御部１０１は、ＣＰＵ（Central Processing Unit）やＲＡＭ（Random Access Memory）、不揮発性メモリを備えており、ＣＰＵが不揮発性メモリに記憶されているプログラムを実行すると、スマートフォンのオペレーティングシステムが実現する。
【００２１】
表示部１０３は、表示装置（例えば液晶ディスプレイ）と入力装置とが一体化した所謂タッチパネルを備えており、端末装置１０を操作するための画面や各種メッセージを表示する。操作部１０４は、端末装置１０を操作するためのボタンを備えている。通信部１０５は、移動体通信網２を介して無線通信を行う通信インターフェースとして機能する。
【００２２】
音声処理部１０７は、マイクロホンとスピーカを有している。音声処理部１０７は、端末装置１０同士が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロホンが音声を収音すると、収音した音声をデジタル信号に変換する。音声処理部１０７は、端末装置１０で音声通話を行う場合、ユーザの音声を変換したデジタル信号を通信部１０５へ供給する。このデジタル信号は、通信部１０５から移動体通信網２へ送信され、通話相手の端末装置１０へ送信される。
【００２３】
センサ部１０８は、加速度センサやカメラモジュールなど、端末装置１０の動きを検知する機能する電子部品やモジュールを有している。測位部１０６は、衛星航法システムや無線ＬＡＮを利用して端末装置１０の位置を測位する。測位部１０６は、衛星航法システムが有する人工衛星からの電波や、無線ＬＡＮのアクセスポイントから送信されている電波を取得し、取得した電波に基づいて端末装置１０の位置を示す位置情報を生成する。
【００２４】
記憶部１０２は、不揮発性メモリであり、各種アプリケーションプログラムやアプリケーションプログラムが使用するデータを記憶する。記憶部１０２は、電子マネーによる決済を実現するアプリケーションプログラム（以下、電子マネーアプリと称する）を記憶しており、制御部１０１が、この電子マネーアプリを実行すると、電子マネーを用いて決済を行う機能が実現する。また、記憶部１０２は、電子マネーアプリのユーザを識別するユーザ識別子を記憶している。
【００２５】
（端末装置１０の機能構成）
図３は、電子マネーアプリを実行することにより実現する機能のうち、本発明に係る機能の構成を示したブロック図である。
検知部１５１は、対象物に対する端末装置１０の予め定められた動きを検知する検知手段の一例である。検知部１５１は、センサ部１０８から供給される信号を解析し、端末装置１０を対象物の一例であるインターフェースモジュール２０８Ａへかざす動きを検知する。送信部１５２は、通信部１０５と協働し、各種情報をサーバ装置３０へ送信する第１送信手段の一例である。送信部１５２は、端末装置１０をインターフェースモジュール２０８Ａへかざす動きを検知部１５１が検知した場合、予め定められた情報を送信する。受信部１５３は、通信部１０５と協働し、送信部１５２が送信した情報に応じてサーバ装置３０から送信される情報を受信する第１受信手段の一例である。電子マネー処理部１５４は、電子マネーを処理するものである。電子マネー処理部１５４は、記憶部１０２に記憶されている電子マネーを、受信部１５３が受信した情報に応じて、通信部１０５を制御してサーバ装置３０へ送信する送信手段（第３送信手段）の一例である。
【００２６】
（電子レジスター２０の構成）
図４は、電子レジスター２０のハードウェア構成を示したブロック図である。制御部２０１は、ＣＰＵやＲＡＭ、不揮発性メモリを備えており、ＣＰＵが不揮発性メモリに記憶されているプログラムを実行すると、商品の販売金額を計算して記録する機能、レシート発行機能、電子マネーを用いて決済を行う決済機能、ＰＯＳ（Point Of Sales）機能、ＮＦＣの規格に従った通信を行う通信機能などの各種機能が実現する。表示部２０３は、表示装置（例えば液晶ディスプレイ）と入力装置とが一体化した所謂タッチパネルを備えており、電子レジスター２０を操作するための画面や各種メッセージを表示する。操作部２０４は、電子レジスター２０を操作するためのキーやボタンなどを備えている。通信部２０５は、通信網１に接続されており、通信網１を介してデータ通信を行う。近距離通信部２０８は、ＮＦＣの通信規格のうち、非接触ＩＣカードの規格に従った通信を行う。本実施形態においては、近距離通信部２０８は、複数の規格に対応しており、ＩＳＯ／ＩＥＣ  １４４４３  ＴｙｐｅＡ（ＮＦＣ−Ａ）及びＩＳＯ／ＩＥＣ  １４４４３  ＴｙｐｅＢ（ＮＦＣ−Ｂ）に対応したインターフェースモジュール２０８Ａ（本発明に係る対象物の一例）を有している。なお、近距離通信部２０８は、ＩＳＯ／ＩＥＣ  １８０９２の規格（ＮＦＣ−Ｆ）にも対応する構成であってもよい。ドロワー制御部２０９は、電子レジスター２０が備えるキャッシュドロワーの開閉を制御する。記憶部２０２は、不揮発性メモリを備えており、商品の販売金額を記憶する。また、記憶部２０２は、電子レジスター２０の位置を示す位置情報と、電子レジスター２０を識別するレジスター識別子を記憶している。
【００２７】
（電子レジスター２０の機能構成）
図５は、電子レジスター２０において実現する機能のうち、本発明に係る機能の構成を示したブロック図である。送信部２５１は、通信部２０５と協働し、日時を示す情報、客が購入する商品の金額や記憶部２０２に記憶されている位置情報などを、通信部２０５を制御してサーバ装置３０へ送信する送信手段の一例である。受信部２５２は、通信部２０５と協働し、サーバ装置３０から送信される情報を受信する受信手段の一例である。
【００２８】
（サーバ装置３０の構成）
図６は、サーバ装置３０のハードウェア構成を示したブロック図である。制御部３０１は、ＣＰＵやＲＡＭ、不揮発性メモリを備えている。表示部３０３は、表示装置（例えば液晶ディスプレイ）を備えており、サーバ装置３０を操作するための画面や各種メッセージを表示する。操作部３０４は、サーバ装置３０を操作するためのキーやボタンなどを備えている。通信部３０５は、通信網１に接続されており、通信網１を介してデータ通信を行う。
【００２９】
記憶部３０２は、クライアントサーバシステムのサーバ機能を実現するプログラムを記憶している。制御部３０１が、このプログラムを実行すると、サーバ装置３０は、クライアントサーバシステムのサーバとして機能する。
また、記憶部３０２は、第１テーブルＴＢ１を記憶している。図７は、第１テーブルＴＢ１の一例を示した図である。「日時」フィールドには、電子レジスター２０から商品名、販売金額、位置情報及びレジスター識別子が送信された日時が格納される。「商品名」フィールドには、レジスター識別子で識別される電子レジスター２０が設置された店で客が購入する商品の商品名が格納される。「販売金額」フィールドには、商品名フィールドに格納されている商品名の商品の販売金額が格納される。「電子マネー」フィールドには、端末装置１０から取得した電子マネーが格納される。「位置情報」フィールドには、電子レジスター２０の位置を示す位置情報が格納される。「レジスター識別子」フィールドには、電子レジスター２０を識別するレジスター識別子が格納される。「ユーザ識別子」フィールドには、電子マネーアプリのユーザを識別するユーザ識別子が格納される。
【００３０】
（サーバ装置３０の機能構成）
図８は、サーバ装置３０において実現する機能のうち、本発明に係る機能の構成を示したブロック図である。受信部３５１は、通信部３０５と協働し、端末装置１０から送信された情報を受信する第２受信手段の一例である。取得部３５２は、記憶部３０２に記憶されている情報のうち、受信部３５１が受信した情報に対応する情報を取得する取得手段の一例である。送信部３５３は、通信部３０５と協働し、端末装置１０へ各種情報を送信する第２送信手段の一例である。
【００３１】
（第１実施形態の動作例）
次に実施形態の動作例について図９を用いて説明する。なお、以下の説明においては、電子マネーアプリが実行されている端末装置１０において、予め電子マネーがチャージされている状態を想定して以下の説明を行う。電子マネーアプリを実行する端末装置１０に電子マネーをチャージする方法は、例えば、公知のモバイルＳｕｉｃａ（登録商標）のように、銀行口座やクレジットカードを利用してチャージする方法がある。これにより、端末装置１０のユーザがチャージした分の資金が、サーバ装置３０を有する電子マネー事業者へ移動する。
【００３２】
端末装置１０のユーザは、電子レジスター２０を備える店舗において、購入する商品について電子マネーで決済を行う場合、電子マネーで決済を行うことを店舗の店員に伝える。店舗の店員は、電子マネーで決済を行うことを伝えられると、電子レジスター２０の操作部２０４を操作し、電子マネーよる決済処理の実行を電子レジスター２０へ指示する。電子レジスター２０の制御部２０１（送信部２５１）は、電子マネーよる決済処理の実行を指示する操作が行われると、通信部２０５を制御し、客が購入する商品の商品名、販売金額、記憶部２０２に記憶されている位置情報とレジスター識別子、及び当該商品名を送信する日時をサーバ装置３０へ送信する（ステップＳ１）。
【００３３】
電子レジスター２０から送信された日時、商品名、販売金額、位置情報及びレジスター識別子を通信部３０５が受信すると、制御部３０１は、受信した日時、商品名、販売金額、位置情報及びレジスター識別子を記憶部３０２の第１テーブルＴＢ１に格納する（ステップＳ２）。
【００３４】
一方、端末装置１０のユーザは、図１８の（ａ）に示したように、端末装置１０をインターフェースモジュール２０８Ａへかざす動作を行う。この動作が行われると、センサ部１０８の加速度センサは、かざす動作により端末装置１０に生じる加速度を測定し、測定した加速度を示す加速度信号を制御部１０１へ出力する。また、カメラモジュールは、撮影して得られた画像を示す画像信号を制御部１０１へ出力する。制御部１０１（検知部１５１）は、センサ部１０８から出力された信号に基づいて、端末装置１０をインターフェースモジュール２０８Ａへかざす動作を検出する（ステップＳ３）。
【００３５】
具体的には、制御部１０１は、センサ部１０８から出力された加速度信号を解析し、端末装置１０をインターフェースモジュール２０８Ａへかざす動作が行われたか解析する。例えば、制御部１０１は、端末装置１０をインターフェースモジュール２０８Ａへかざしたときの加速度信号のパターンを予め記憶しており、加速度センサから得られた加速度信号の波形が、記憶している波形に類似している場合、インターフェースモジュール２０８Ａへかざす動作が行われたと判定する。また、制御部１０１は、センサ部１０８から出力された画像信号を解析し、端末装置１０をインターフェースモジュール２０８Ａへかざす動作が行われたか解析する。例えば、制御部１０１は、画像信号が表す画像にインターフェースモジュール２０８Ａの画像がある場合、インターフェースモジュール２０８Ａへかざす動作が行われたと判定する。制御部１０１（送信部１５２）は、加速度情報に基づく解析結果と、画像信号に基づく解析結果がいずれもかざす動作であるとの結果である場合、計時している日時、測位部１０６で得られる位置情報及び記憶部１０２に記憶されているユーザ識別子を、通信部１０５を制御してサーバ装置３０へ送信する（ステップＳ４）。
【００３６】
端末装置１０から送信された日時、位置情報及びユーザ識別子を通信部３０５（受信部３５１）が受信すると、制御部３０１（取得部３５２）は、第１テーブルＴＢ１に格納されている情報のうち、端末装置１０から送信された情報に対応する情報を取得する（ステップＳ５）。具体的には、制御部３０１は、端末装置１０から送信された日時から予め定められた範囲内（例えば送信された日時から１分前までの範囲内）に含まれる日時を格納したレコードを第１テーブルＴＢ１において検索する。制御部３０１は、端末装置１０から送信された日時から予め定められた範囲内に含まれる日時を格納したレコードを見つけると、見つけたレコードのうち、端末装置１０から送信された位置情報が表す位置から予め定められた範囲内に含まれる位置の位置情報を格納したレコードを検索する。制御部３０１は、端末装置１０から送信された位置情報が表す位置から予め定められた範囲内に含まれる位置の位置情報を格納したレコードを見つけると、見つけたレコードに受信したユーザ識別子を格納する。また、制御部３０１（送信部３５３）は、見つけたレコードに格納されている商品名と販売金額とを、通信部３０５を制御して端末装置１０へ送信する（ステップＳ６）。
【００３７】
サーバ装置３０から送信された商品名と販売金額とを通信部１０５（受信部１５３）が受信すると、制御部１０１は、受信した情報に基づいて、決済処理を進めることを確認する画面を表示部１０３に表示させる（ステップＳ７）。具体的には、制御部１０１は、図１０に示したように、受信した商品名、金額、決済処理を進めることを指示するためのユーザインターフェースである「支払い」ボタン、決済処理を中止することを指示するためのユーザインターフェースである「中止」ボタンを、表示部１０３に表示させる。
【００３８】
端末装置１０のユーザは、表示された内容を確認し、電子マネーによる決済を進める場合、表示された「支払い」ボタンに触れる操作を行う（ステップＳ８）。制御部１０１（電子マネー処理部１５４）は、「支払い」ボタンに触れる操作が表示部１０３のタッチパネルにおいて行われると、記憶部１０２に記憶されている電子マネーから販売金額の分の金額を減算する（ステップＳ９）。また、制御部１０１は、販売金額分の電子マネーと、記憶部１０２に記憶されているユーザ識別子を、通信部１０５を制御してサーバ装置３０へ送信する（ステップＳ１０）。
【００３９】
端末装置１０から送信された電子マネーとユーザ識別子とを通信部３０５（受信部３５１）が受信すると、制御部３０１は、第１テーブルＴＢ１に格納されている情報のうち、端末装置１０から送信された情報に対応する情報を取得する（ステップＳ１１）。具体的には、制御部３０１は、受信したユーザ識別子を格納したレコードを第１テーブルＴＢ１において検索する。制御部３０１は、受信したユーザ識別子が格納されたレコードを見つけると、見つけたレコードに受信した電子マネーを格納する。
【００４０】
次に制御部３０１は、電子マネーが格納されたレコードに格納されているレジスター識別子を取得し、取得したレジスター識別子で特定される電子レジスター２０へ、通信部３０５を制御して決済完了を通知するメッセージを送信する（ステップＳ１３）。サーバ装置３０から送信されたメッセージを通信部２０５が受信すると、制御部２０１は、決済が完了したことを知らせるメッセージを表示部２０３に表示させる（ステップＳ１４）。
【００４１】
なお、電子マネー事業者は、第１テーブルＴＢ１に電子マネーが格納されているレコードを特定する。電子マネー事業者は、特定したレコードに格納されているレジスター識別子に基づいて、当該レジスター識別子で特定される電子レジスター２０が設置されている店舗を特定し、特定した店舗に対して特定したレコードに格納されている電子マネーに対応する資金を移動させる。
【００４２】
以上説明したように、本実施形態によれば、近距離無線通信の機能を備えておらず、電子レジスター２０と直接電子マネーのやり取りを行えない装置であっても、近距離無線通信の機能を有し、電子レジスター２０と直接電子マネーのやり取りを行える装置と同様に、装置をかざす動作で電子マネーによる決済を行うことができる。
【００４３】
［第２実施形態］
次に本発明の第２実施形態について説明する。図１１は、本発明の第２実施形態に係る装置を示した図である。スマートポスター４０（本発明に係る対象物の一例）は、ＮＦＣの通信規格に対応した通信を行うＩＣタグ４０Ａを備えるポスターである。
第２実施形態に係る端末装置１０は、第１実施形態の端末装置１０とハードウェア構成が同じである。第２実施形態に係る端末装置１０は、記憶部１０２に記憶しているアプリケーションプログラムが異なる。本実施形態に係る端末装置１０の記憶部１０２は、スマートポスター４０に係る情報を取得するアプリケーションプログラムを記憶している。
【００４４】
また、第２実施形態に係るサーバ装置３０は、第１実施形態のサーバ装置３０とハードウェア構成が同じであり、実行するプログラムによって実現する機能が第１実施形態と異なる。サーバ装置３０は、記憶部３０２に記憶しているプログラムを実行することにより、スマートポスター４０に係る情報を端末装置１０に提供する機能が実現する。また、第２実施形態に係るサーバ装置３０は、記憶部３０２に記憶している情報が第１実施形態と異なる。
【００４５】
図１２は、第２テーブルＴＢ２の一例を示した図である。「位置情報」フィールドには、スマートポスター４０の位置を示す位置情報が格納される。「ＵＲＬ」フィールドには、スマートポスター４０の内容に係る情報のＷｅｂページのＵＲＬ（Uniform Resource Locator）が格納される。例えば、スマートポスター４０が、展覧会のポスターである場合、展覧会の開催日時、開催場所、展覧会で展示される展示作品などを紹介するＷｅｂページのＵＲＬが格納される。
【００４６】
図１３は、第２実施形態に係る端末装置１０において実現する機能の構成を示したブロック図である。
検知部１５１Ａは、対象物に対する端末装置１０の予め定められた動きを検知する検知手段の一例である。検知部１５１Ａは、センサ部１０８から供給される信号を解析し、端末装置１０を対象物の一例であるスマートポスター４０へかざす動きを検知する。
送信部１５２Ａは、通信部１０５と協働し、各種情報をサーバ装置３０へ送信する第１送信手段の一例である。送信部１５２Ａは、端末装置１０をスマートポスター４０へかざす動きを検知部１５１Ａが検知した場合、測位部１０６で得られる位置情報や、記憶部１０２に記憶されている情報などを送信する。
受信部１５３Ａは、通信部１０５と協働し、送信部１５２Ａが送信した情報に応じてサーバ装置３０から送信される情報を受信する第１受信手段の一例である。
【００４７】
次に第２実施形態に係るサーバ装置３０において実現する機能の構成について説明する。本実施形態に係るサーバ装置３０においては、第１実施形態と同様に、受信部３５１、取得部３５２、送信部３５３が実現する。
本実施形態に係る受信部３５１は、通信部３０５と協働し、端末装置１０から送信された位置情報を受信する第２受信手段の一例である。
また、本実施形態に係る取得部３５２は、記憶部３０２に記憶されている情報のうち、受信部３５１が受信した位置情報に対応する情報（本実施形態では第２テーブルＴＢ２のＵＲＬ）を取得する取得手段の一例である。
また、本実施形態に係る送信部３５３は、通信部３０５と協働し、取得部３５２が取得した情報を端末装置１０へ送信する第２送信手段の一例である。
【００４８】
次に第２実施形態の動作例について、図１４を用いて説明する。端末装置１０のユーザは、スマートポスター４０に係る情報を取得する場合、図１８の（ｂ）に示したように、端末装置１０をスマートポスター４０へかざす動作を行う。この動作が行われると、センサ部１０８の加速度センサは、かざす動作により端末装置１０に生じる加速度を測定し、測定した加速度を示す加速度信号を制御部１０１へ出力する。また、カメラモジュールは、撮影して得られた画像を示す画像信号を制御部１０１へ出力する。制御部１０１（検知部１５１Ａ）は、センサ部１０８から出力された信号に基づいて、端末装置１０をスマートポスター４０へかざす動作を検出する（ステップＳ２１）。
【００４９】
具体的には、制御部１０１は、センサ部１０８から出力された加速度情報を解析し、端末装置１０をスマートポスター４０へかざす動作が行われたか解析する。また、制御部１０１は、センサ部１０８から出力された画像信号を解析し、端末装置１０をスマートポスター４０へかざす動作が行われたか解析する。制御部１０１（送信部１５２Ａ）は、加速度情報に基づく解析結果と、画像信号に基づく解析結果がいずれもかざす動作であるとの結果である場合、測位部１０６で得られる位置情報を、通信部１０５を制御してサーバ装置３０へ送信する（ステップＳ２２）。
【００５０】
端末装置１０から送信された位置情報を通信部３０５（受信部３５１）が受信すると、制御部３０１（取得部３５２）は、第２テーブルＴＢ２に格納されている情報のうち、端末装置１０から送信された情報に対応する情報を取得する（ステップＳ２３）。具体的には、制御部３０１は、端末装置１０から送信された位置情報が表す位置から予め定められた範囲内に含まれる位置の位置情報を格納したレコードを第２テーブルＴＢ２において検索する。制御部３０１（送信部３５３）は、端末装置１０から送信された位置情報が表す位置から予め定められた範囲内に含まれる位置の位置情報を格納したレコードを見つけると、見つけたレコードに格納されているＵＲＬを、通信部３０５を制御して端末装置１０へ送信する（ステップＳ２４）。
【００５１】
サーバ装置３０から送信されたＵＲＬを通信部１０５（受信部１５３Ａ）が受信すると、制御部１０１は、受信したＵＲＬで特定されるＷｅｂページを取得するため、通信部１０５を制御してＨＴＴＰリクエストを送信する（ステップＳ２５）。このＨＴＴＰリクエストに応じてＷｅｂページのデータが端末装置１０へ送信されると、制御部１０１は、送信されたＷｅｂページのデータを受信する（ステップＳ２６）。制御部１０１が、受信したＷｅｂページのデータに基づいて表示部１０３を制御すると、Ｗｅｂページが表示部１０３に表示され、端末装置１０のユーザは、スマートポスター４０に係る情報を得ることができる。
【００５２】
以上説明したように本実施形態によれば、ＮＦＣによりＩＣタグ４０Ａから情報を取得する機能を備えていない端末装置１０であっても、スマートポスター４０に係る情報を得ることができる。
【００５３】
なお、制御部３０１は、端末装置１０から送信された位置情報が表す位置から予め定められた範囲内に含まれる位置の位置情報を格納したレコードを見つけられなかった場合、提供する情報がないことを通知するＷｅｂページのデータを端末装置１０へ送信する。このデータを受信した制御部１０１が、受信したＷｅｂページのデータに基づいて表示部１０３を制御すると、提供する情報がないことを通知するメッセージが表示部１０３に表示される。
また、制御部３０１は、端末装置１０から送信された位置情報が表す位置から予め定められた範囲内に含まれる位置の位置情報を格納したレコードを複数見つけた場合、見つけた複数のレコードに格納されているＵＲＬを端末装置１０へ送信し、端末装置１０において、複数のＵＲＬの中からユーザが一つを選択するようにしてもよい。
【００５４】
［第３実施形態］
次に本発明の第３実施形態について説明する。図１５は、本発明の第３実施形態に係る装置を示した図である。第３実施形態に係る端末装置１０Ａ，１０Ｂ（互いが本発明に係る対象物の一例）は、第１実施形態の端末装置１０とハードウェア構成が同じである。第３実施形態に係る端末装置１０Ａ，１０Ｂは、記憶部１０２に記憶しているアプリケーションプログラムが異なる。本実施形態に係る端末装置１０Ａ，１０Ｂの記憶部１０２は、端末装置同士を衝突させる動作を行うことにより情報を授受するアプリケーションプログラムを記憶している。
【００５５】
次に第３実施形態に係る端末装置１０Ａ，１０Ｂにおいて実現する機能の構成について説明する。本実施形態に係る端末装置１０Ａ，１０Ｂにおいては、第２実施形態と同様に、検知部１５１Ａ、送信部１５２Ａ、受信部１５３Ａが実現する。
本実施形態に係る検知部１５１Ａは、対象物に対する端末装置１０の予め定められた動きを検知する検知手段の一例である。検知部１５１Ａは、センサ部１０８から供給される信号を解析し、端末装置を対象物の一例である他の端末装置へ衝突させる動きを検知する。
本実施形態に係る送信部１５２Ａは、通信部１０５と協働し、各種情報をサーバ装置３０へ送信する第１送信手段の一例である。送信部１５２Ａは、端末装置を他の端末装置へ衝突させる動きを検知部１５１Ａが検知した場合、日時を示す情報や測位部１０６で得られる位置情報、記憶部１０２に記憶されている情報などを送信する。
本実施形態に係る受信部１５３Ａは、通信部１０５と協働し、送信部１５２Ａが送信した情報に応じてサーバ装置３０から送信される情報を受信する第１受信手段の一例である。
【００５６】
また、第３実施形態に係るサーバ装置３０は、第１実施形態のサーバ装置３０とハードウェア構成が同じであり、実行するプログラムによって実現する機能が第１実施形態と異なる。第３実施形態に係るサーバ装置３０は、記憶部３０２に記憶しているプログラムを実行することにより、端末装置から送信された情報を他の端末装置へ提供する機能が実現する。また、第３実施形態に係るサーバ装置３０は、記憶部３０２に記憶する情報が第１実施形態と異なる。
【００５７】
図１６は、第３テーブルＴＢ３の一例を示した図である。「位置情報」フィールドには、端末装置１０Ａ（１０Ｂ）の位置を示す位置情報が格納される。「位置情報」フィールドには、端末装置１０Ａ（１０Ｂ）から送信された位置情報が格納される。「ユーザ識別子」フィールドには、端末装置１０Ａ（１０Ｂ）から送信されたユーザ識別子が格納される。「ユーザ名」フィールドには、端末装置１０Ａ（１０Ｂ）から送信されたユーザ名が格納される。「電話番号」フィールドには、端末装置１０Ａ（１０Ｂ）から送信された電話番号が格納される。「メールアドレス」フィールドには、端末装置１０Ａ（１０Ｂ）から送信されたメールアドレスが格納される。
【００５８】
次に第３実施形態に係るサーバ装置３０において実現する機能の構成について説明する。本実施形態に係るサーバ装置３０においては、第１実施形態と同様に、受信部３５１、取得部３５２、送信部３５３が実現する。
本実施形態に係る受信部３５１は、通信部３０５と協働し、端末装置１０Ａ，１０Ｂから送信された日時や位置情報などを受信する第２受信手段の一例である。
また、本実施形態に係る取得部３５２は、記憶部３０２に記憶されている情報のうち、受信部３５１が受信した位置情報に対応する情報を取得する取得手段の一例である。
また、本実施形態に係る送信部３５３は、通信部３０５と協働し、取得部３５２が取得した情報を送信する第２送信手段の一例である。
【００５９】
次に第３実施形態の動作例について、図１７を用いて説明する。端末装置１０Ａ，１０Ｂのユーザは、第２情報の一例であって、各々の端末装置に格納されている自身の電話番号とメールアドレスとを相手の端末装置へ送る場合、図１８の（ｃ）に示したように、自身の端末装置を相手の端末装置へ衝突させる動作を行う。この動作が行われると、センサ部１０８の加速度センサは、衝突させる動作により端末装置に生じる加速度を測定し、測定した加速度を示す加速度信号を制御部１０１へ出力する。また、カメラモジュールは、撮影して得られた画像を示す画像信号を制御部１０１へ出力する。制御部１０１（検知部１５１Ａ）は、センサ部１０８から出力された信号に基づいて、端末装置を他の端末装置へ衝突させる動作を検出する（ステップＳ３１，ステップＳ３２）。
【００６０】
具体的には、制御部１０１は、センサ部１０８から出力された加速度信号を解析し、端末装置を他の端末装置へ衝突させる動作が行われたか解析する。例えば、制御部１０１は、他の端末装置へ衝突させたときの加速度信号のパターンを予め記憶しており、加速度センサから得られた加速度信号の波形が、記憶している波形に類似している場合、他の端末へ衝突させる動作が行われたと判定する。また、制御部１０１は、センサ部１０８から出力された画像信号を解析し、端末装置を他の端末装置へ衝突させる動作が行われたか解析する。例えば、制御部１０１は、画像信号が表す画像に他の端末装置の画像がある場合、他の端末へ衝突させる動作が行われたと判定する。制御部１０１（送信部１５２Ａ）は、加速度情報に基づく解析結果と、画像信号に基づく解析結果がいずれも衝突させる動作であるとの結果である場合、計時している日時、測位部１０６で得られる位置情報、記憶部１０２に記憶されているユーザ識別子、ユーザ名、電話番号及びメールアドレスとを、通信部１０５を制御してサーバ装置３０へ送信する（ステップＳ３３，ステップＳ３４）。なお、ユーザ名、電話番号及びメールアドレスは、本発明に係る第２情報の一例である。
【００６１】
端末装置１０Ａ，１０Ｂから送信された日時、位置情報、ユーザ識別子、ユーザ名、電話番号及びメールアドレスを通信部３０５（受信部３５１）が受信すると、制御部３０１は、受信した日時、位置情報、ユーザ識別子、ユーザ名、電話番号及びメールアドレスを第３テーブルＴＢ３に格納する（ステップＳ３５）。
【００６２】
次に制御部３０１は、送信された情報の転送先を特定する（ステップＳ３６）。具体的には、制御部３０１は、端末装置から送信された日時から予め定められた範囲内（例えば送信された日時から１分前までの範囲内）に含まれる日時を格納したレコードを第３テーブルＴＢ３において検索する。制御部３０１は、端末装置から送信された日時から予め定められた範囲内に含まれる日時を格納したレコードを見つけると、見つけたレコードのうち、端末装置１０から送信された位置情報が表す位置から予め定められた範囲内に含まれる位置の位置情報を格納したレコードを検索する。
【００６３】
例えば、端末装置１０Ｂから送信された日時が、端末装置１０Ａから送信された日時から予め定められた範囲内に含まれ、端末装置１０Ｂから送信された位置情報の位置が、端末装置１０Ａから送信された位置情報の位置から予め定められた範囲内に含まれる場合、端末装置１０Ａのユーザ識別子が格納されたレコードと、端末装置１０Ｂのユーザ識別子が格納されたレコードとを特定する。
【００６４】
制御部３０１（取得部３５２）は、特定したレコードのうち、端末装置１０Ｂのユーザ識別子が格納されているレコードに格納されているユーザ名、電話番号及びメールアドレスを取得し、特定した他のレコードに格納されているユーザ識別子で特定される端末装置（ここでは、端末装置１０Ａ）へ通信部３０５を制御して送信する（ステップＳ３７）。また、制御部３０１（送信部３５３）は、特定したレコードのうち、端末装置１０Ａのユーザ識別子が格納されているレコードに格納されているユーザ名、電話番号及びメールアドレスを、特定した他のレコードに格納されているユーザ識別子で特定される端末装置（ここでは、端末装置１０Ｂ）へ通信部３０５を制御して送信する（ステップＳ３８）。
【００６５】
サーバ装置３０から送信されたユーザ名、電話番号及びメールアドレスを端末装置１０Ａの通信部１０５（受信部１５３Ａ）が受信すると、端末装置１０Ａの制御部１０１は、受信したユーザ名、電話番号及びメールアドレスを記憶部１０２に記憶させ（ステップＳ３９）、記憶させたユーザ名、電話番号及びメールアドレスを表示部１０３に表示させる（ステップＳ４１）。また、サーバ装置３０から送信されたユーザ名、電話番号及びメールアドレスを端末装置１０Ｂの通信部１０５が受信すると、端末装置１０Ｂの制御部１０１は、受信したユーザ名、電話番号及びメールアドレスを記憶部１０２に記憶させ（ステップＳ４０）、記憶させたユーザ名、電話番号及びメールアドレスを表示部１０３に表示させる（ステップＳ４２）。
つまり、端末装置１０Ａのユーザのユーザ名、電話番号及びメールアドレスが端末装置１０Ｂへ送信されて記憶され、端末装置１０Ｂのユーザのユーザ名、電話番号及びメールアドレスが端末装置１０Ａへ送信されて記憶される。
【００６６】
以上説明したように、本実施形態によれば、近距離無線通信の機能を備えておらず、端末装置同士で情報のやり取りを直接行えない端末装置であっても、近距離無線通信の機能を有する装置同士が情報を授受するときのように互いに近づける動作を行うことにより、互いに情報を授受することができる。
【００６７】
［変形例］
以上、本発明の実施形態について説明したが、本発明は上述した実施形態に限定されることなく、他の様々な形態で実施可能である。例えば、上述の実施形態を以下のように変形して本発明を実施してもよく、各変形例を組み合わせて実施してもよい。
【００６８】
上述した実施形態においては、かざす動作や衝突させる動作を加速度センサからの信号とカメラモジュールからの信号で判断しているが、これらの動作をカメラモジュールからの信号だけで判定してもよく、また、加速度センサからの信号だけで判定してもよい。
【００６９】
上述した第１実施形態においては、インターフェースモジュール２０８Ａにレジスター識別子を記載し、このレジスター識別子を端末装置１０のカメラモジュールで撮影して取得し、取得したレジスター識別子をサーバ装置３０へ送信するようにしてもよい。
サーバ装置３０は、端末装置１０から送信された情報に対応する情報を特定する際に、第１実施形態の動作に加えて、端末装置１０から送信されたレジスター識別子を格納したレコードを特定する。この構成によれば、店舗に電子レジスター２０が複数ある場合でも、購入商品や販売金額の情報を、かざす動作を行ったユーザの端末装置１０へ送信することができる。
【００７０】
上述した第１実施形態においては、端末装置１０や電子レジスター２０は、日時をサーバ装置３０へ送信しているが、日付については送信せずに時刻のみを送信するようにしてもよい。また、第３実施形態においては、端末装置１０Ａ，１０Ｂは、日時をサーバ装置３０へ送信しているが、日付については送信せずに時刻のみを送信するようにしてもよい。
【００７１】
上述した第３実施形態においては、端末装置１０Ａと端末装置１０Ｂの二台の端末装置で情報をやり取りしているが、三台以上の端末装置を同時に衝突させ、各端末装置から日時、測位部１０６で得られる位置情報、記憶部１０２に記憶されているユーザ識別子、ユーザ名、電話番号及びメールアドレスをサーバ装置３０へ送信するようにしてもよい。この構成によれば、一台の端末装置から衝突した二台の端末装置へユーザ名、電話番号及びメールアドレスを送ることができる。
【００７２】
上述した実施形態においては、端末装置１０，１０Ａ，１０Ｂは、かざす動作や衝突の動作を検知しているが、検知する動作は、これらの動作に限定されるものではない。例えば、第１実施形態や第２実施形態においては、端末装置１０をインターフェースモジュール２０８Ａやスマートポスター４０に対して左右に振る動作を検知し、この動作が行われると、端末装置１０から各種情報をサーバ装置３０へ送信するようにしてもよい。
【００７３】
上述した第２実施形態においては、スマートポスター４０に係る情報を端末装置１０へ提供しているが、この構成に限定されるものではない。例えば、上述の第２実施形態のスマートポスター４０とは別の位置にあるスマートポスター４０の位置情報については、スマートポスター４０に示されている店で使用できる電子クーポンを対応付けて記憶し、スマートポスター４０に端末装置１０をかざす動作が行われた場合、スマートポスター４０にかざされた端末装置１０へ電子クーポンを送信するようにしてもよい。つまり、サーバ装置３０は、実行する処理を位置情報に応じて異ならせるようにしてもよい。
【００７４】
また、第３実施形態においても、サーバ装置３０は、実行する処理を位置情報に応じて異ならせるようにしてもよい。例えば、端末装置１０Ａ，１０Ｂは、ユーザの名刺に記載された内容を記憶する。端末装置１０Ａ，１０Ｂは、衝突の動作を検知すると、第３実施形態で送信する情報に加えて、記憶している名刺の記載内容を送信する。サーバ装置３０は、送信された端末装置１０Ａ，１０Ｂの位置情報の位置が、企業の敷地内である場合、記憶している名刺の記載内容を端末装置１０Ａ，１０Ｂへ送信する。また、サーバ装置３０は、送信された端末装置１０Ａ，１０Ｂの位置情報の位置が、企業の敷地外である場合、第３実施形態で端末装置１０Ａ，１０Ｂへ送信している情報を端末装置１０Ａ，１０Ｂへ送信する。つまり、サーバ装置３０は、実行する処理を位置情報に応じて異ならせる。この構成によれば、端末装置へ送信する情報を、端末装置の位置に適した情報にすることができる。
【００７５】
上述した第１実施形態においては、電子マネーを端末装置１０が記憶する構成となっているが、この構成に限定されるものではない。例えば、端末装置１０のユーザの電子マネーを、ユーザ識別子に対応付けてサーバ装置３０に記憶させるようにしてもよい。この構成の場合、ステップＳ８で電子マネーによる決済を進める操作が行われると、端末装置１０は、販売金額を示す情報とユーザ識別子とをサーバ装置３０へ送信する。端末装置１０から送信された販売金額とユーザ識別子とを通信部３０５が受信すると、制御部３０１は、受信したユーザ識別子を格納したレコードを第１テーブルＴＢ１において検索する。制御部３０１は、受信したユーザ識別子が格納されたレコードを見つけると、受信したユーザ識別子に対応付けて格納されている電子マネーから受信した販売金額分の電子マネーを取得し、取得した電子マネーを見つけたレコードに格納する。
また、端末装置１０のユーザの電子マネーをサーバ装置３０が記憶する構成にあっては、以下に説明する構成としてもよい。例えば、端末装置１０は、ステップＳ８で電子マネーによる決済を進める操作が行われると、ユーザ識別子を含み、決済を進めることを通知するメッセージをサーバ装置３０へ送信する。制御部３０１は、このメッセージを受信すると、受信したユーザ識別子を格納したレコードを第１テーブルＴＢ１において検索する。制御部３０１は、受信したユーザ識別子が格納されたレコードを見つけると、受信したユーザ識別子に対応付けて格納されている電子マネーからステップＳ６で送信した販売金額分の電子マネーを取得し、取得した電子マネーを見つけたレコードに格納する。
これらの構成においても、近距離無線通信の機能を備えておらず、電子レジスター２０と直接電子マネーのやり取りを行えない装置であっても、近距離無線通信の機能を有し、電子レジスター２０と直接電子マネーのやり取りを行える装置と同様に、装置をかざす動作で電子マネーによる決済を行うことができる。
【００７６】
上述した実施形態では、かざす動作や衝突させる動作を検知しているが、検知する動作は、これらの動作に限定されるものではない。例えば、図１８の（ｄ）に示したように、自動ゲート５０の方向へ移動してから自動ゲート５０へ接触させる動作を検出するようにしてもよい。この場合、端末装置１０は、自動ゲート５０の方向へ移動してから自動ゲート５０へ接触させる動作を検出すると、端末装置１０のユーザを識別する識別子をサーバ装置へ送信する。サーバ装置３０は、送信された識別子を記憶している場合、自動ゲートを制御し、ゲートを解放する。
【００７７】
なお、本発明においては、端末装置１０は、端末装置１０の動きの種類を特定するようにしてもよい。また、端末装置１０は、位置情報をサーバ装置３０へ送信するときに、この特定した動きの種類を示す情報も送信するようにしてもよい。この構成においては、例えば、サーバ装置３０が、第１実施形態と第２実施形態の両方の構成を備えている場合、サーバ装置３０は、端末装置１０から送信された動きの種類を示す情報の内容に応じた動作をする構成としてもよい。
具体的には、サーバ装置３０は、端末装置１０の動きの種類が図１８の（ａ）に示した動作である場合、第１テーブルＴＢ１を参照して第１実施形態の動作を行い、端末装置１０の動きの種類が図１８の（ｂ）に示した動作である場合、第２テーブルＴＢ２を参照して第２実施形態の動作を行う。
電子レジスター２０の近くにスマートポスター４０がある場合、位置情報が示す位置は、位置の検出の精度によっては同じとなる場合があるが、本変形例によれば、動きの種類でユーザの動作を特定し、特定した動作に対応した処理が行われる。このため、サーバ装置３０が第１実施形態と第２実施形態の両方の構成を備えている場合、図１８の（ａ）の動作に応じて位置情報がサーバ装置３０へ送信されても、第２テーブルＴＢ２に格納されているＵＲＬが送信されることがなく、動きの種類に対応した結果を得ることができる。
【００７８】
端末装置１０や電子レジスター２０のプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、インストールしてもよい。また、通信回線を介してプログラムをダウンロードしてインストールしてもよい。
【符号の説明】
【００７９】
１…通信網、２…移動体通信網、１０，１０Ａ，１０Ｂ…端末装置、２０…電子レジスター、３０…サーバ装置、４０…スマートポスター、４０Ａ…ＩＣタグ、１０１…制御部、１０２…記憶部、１０３…表示部、１０４…操作部、１０５…通信部、１０６…測位部、１０７…音声処理部、１０８…センサ部、１５１，１５１Ａ…検知部、１５２，１５２Ａ…送信部、１５３，１５３Ａ…受信部、１５４…電子マネー処理部、２０１…制御部、２０２…記憶部、２０３…表示部、２０４…操作部、２０５…通信部、２０８…近距離通信部、２０９…ドロワー制御部、２５１…送信部、２５２…受信部、３０１…制御部、３０２…記憶部、３０３…表示部、３０４…操作部、３０５…通信部、３５１…受信部、３５２…取得部、３５３…送信部
【図１】
2015146159.tif 000003
【図２】
2015146159.tif 000004
【図３】
2015146159.tif 000005
【図４】
2015146159.tif 000006
【図５】
2015146159.tif 000007
【図６】
2015146159.tif 000008
【図７】
2015146159.tif 000009
【図８】
2015146159.tif 000010
【図９】
2015146159.tif 000011
【図１０】
2015146159.tif 000012
【図１１】
2015146159.tif 000013
【図１２】
2015146159.tif 000014
【図１３】
2015146159.tif 000015
【図１４】
2015146159.tif 000016
【図１５】
2015146159.tif 000017
【図１６】
2015146159.tif 000018
【図１７】
2015146159.tif 000019
【図１８】
2015146159.tif 000020